(57)【要約】【課題】用紙詰まりが発生しているか否かを確認すべき用紙搬送路内の位置が残っているのにも関わらず、用紙搬送動作を再開させないようにする。【解決手段】用紙搬送装置の第３検出部は、表示部がウィザード画面を表示した後に、第１検出部がカバーが開かれたことを検出し、かつ、その後に第１検出部がカバーが閉じられたことを検出した場合に、その時点で表示部が表示しているウィザード画面のページよりも後のページがあるか否かを判定する。そして、第３検出部は、後のページがない場合には、表示部にウィザード画面の表示を停止させ、制御部に搬送部による搬送動作を再開させる。一方、後のページがある場合には、第３検出部は、表示部にウィザード画面の表示をそのままにさせ、制御部に搬送部による用紙搬送動作を停止させたままにする。【選択図】図３
2017208689.tif 000002
【特許請求の範囲】
【請求項１】
搬送路と、
本用紙搬送装置の外郭を構成し、その内部に前記搬送路を収容する筐体であって、開閉自在なカバーが設けられ、当該カバーが開かれた状態において、前記搬送路の一部を露出する筐体と、
前記カバーの開閉状態を検出する第１検出部と、
前記搬送路内で用紙を搬送する用紙搬送部と、
前記用紙搬送部による用紙搬送動作を制御する制御部と、
前記搬送路内の予め定められた複数の位置における用紙の有無を検出する第２検出部と、
前記第２検出部による用紙の有無の検出結果に基づいて、前記搬送路内で用紙詰まりが発生したか否かを検出するとともに、用紙詰まりが発生した場合には当該用紙詰まりが発生した前記搬送路内における位置を特定する第３検出部と、
表示部と、
前記表示部が表示する画面に対するユーザー操作を受け付ける受付部と、を備え、
前記第３検出部は、
（ｉ）用紙詰まりが発生したことを検出した場合に、当該用紙詰まりを解消するために必要となる操作手順をウィザード形式で順次示すための複数ページからなるウィザード画面を前記表示部に表示させ、
（ｉｉ）前記受付部が受け付けたページの遷移指示に応じて、前記表示部が表示する前記ウィザード画面のページを切り替えさせ、
（ｉｉｉ）前記表示部が前記ウィザード画面を表示した後に、前記第１検出部が前記カバーが開かれたことを検出し、かつ、その後に前記第１検出部が前記カバーが閉じられたことを検出した場合に、その時点で前記表示部が表示しているウィザード画面のページよりも後のページがあるか否かを判定し、（ｉｉｉ−ｉ）当該後のページがない場合には、前記表示部に前記ウィザード画面の表示を停止させ、前記制御部に前記用紙搬送部による用紙搬送動作を再開させ、（ｉｉｉ−ｉｉ）当該後のページがある場合には、前記表示部に前記ウィザード画面の表示をそのままにさせ、前記制御部に前記用紙搬送部による用紙搬送動作を停止させたままにする、用紙搬送装置。
【請求項２】
前記第３検出部は、
前記表示部が表示しているウィザード画面のページよりも後のページがある場合において、更に、当該後のページのなかに、ユーザーが用紙が詰まっているか否かを確認すべき前記搬送路内の位置を示したページが含まれるか否かを判定し、
当該ページが含まれる場合に、前記表示部に前記ウィザード画面の表示をそのままにさせ、前記制御部に前記用紙搬送部による用紙搬送動作を停止させたままにさせ、
当該ページが含まれない場合に、前記表示部に前記ウィザード画面の表示を停止させ、前記制御部に前記用紙搬送部による用紙搬送動作を再開させる、請求項１に記載の用紙搬送装置。
【請求項３】
前記第３検出部は、前記制御部に前記用紙搬送部による用紙搬送動作を停止させたままにする場合は、その時点で前記表示部が表示しているウィザード画面のページに、ユーザーが用紙が詰まっているか否かを確認すべき前記搬送路内の位置が残っている旨を示す情報を付加し、当該情報を付加したページを前記表示部に表示させる、請求項１または請求項２に記載の用紙搬送装置。
【請求項４】
前記第３検出部は、前記第２検出部により前記搬送路内の予め定められた位置で用紙が予め定められた時間以上連続して検出されていること、および、前記搬送路内の予め定められた位置に用紙が到達していないことに基づいて、前記搬送路内で用紙詰まりが発生したことを検出する、請求項１乃至請求項３の何れか１項に記載の用紙搬送装置。
【請求項５】
用紙上に画像を形成する画像形成部と、
請求項１乃至請求項４の何れか１項に記載の用紙搬送装置であって、前記画像形成部へ用紙を搬送するとともに、前記画像形成部により画像が形成された画像形成済みの用紙を本画像形成装置の用紙排出口へ搬送する用紙搬送装置と、を備える、画像形成装置。
【発明の詳細な説明】
【技術分野】
【０００１】
本発明は、用紙搬送装置および用紙搬送装置を備える画像形成装置に関する。
【背景技術】
【０００２】
画像形成装置などの用紙を取り扱う装置では、用紙搬送路および複数のローラーなどから構成された用紙搬送装置を備え、用紙を予め定められた位置まで搬送している。
【０００３】
ここで、用紙の搬送中に用紙搬送路内で用紙詰まりが発生する場合がある。この場合、用紙搬送装置は、用紙詰まりを解消させるためにユーザーがすべき作業手順を示した画面を表示部に表示する（例えば、下記特許文献１を参照）。ユーザーは、この画面に示された操作手順に従って用紙を取り除くことで、用紙詰まりを解消させることができる。
【０００４】
また、用紙詰まりを解消させるためにユーザーがすべき操作手順は、一般に複数工程からなる。このため、用紙搬送装置は、用紙詰まりを解消するために必要となる操作手順を順次示すための複数ページからなる画面を表示させ、ユーザーが入力するページの遷移指示に応じてページの表示を切り替えている。
【先行技術文献】
【特許文献】
【０００５】
【特許文献１】特開２０１４−１１６７６０号公報
【発明の概要】
【発明が解決しようとする課題】
【０００６】
用紙搬送装置では、一般に、用紙搬送装置のカバーを閉じる動作が行われた場合に、用紙詰まりを解消させるためにユーザーがする操作手順が完了したものと判断し、用紙搬送動作を再開させている。
【０００７】
しかしながら、用紙詰まりが発生しているか否かを確認すべき用紙搬送路内の位置が複数ある場合において、ユーザーが複数ページからなる画面の一部のページのみを見て、確認すべき一部の位置のみを確認した後に、用紙搬送装置のカバーを閉じてしまう場合がある。この場合、用紙詰まりが発生しているか否かを確認すべき用紙搬送路内の位置が残っているのにも関わらず、用紙搬送動作が再開されることになる。そして、ユーザーが未確認の位置に用紙が詰まっており用紙が取り除かれていない場合には、用紙詰まりが再度検出されて用紙搬送動作が停止されることになる。
【０００８】
このように、用紙搬送動作が再開されたのにもかかわらず、その直後に再度用紙搬送動作が停止され、再度用紙詰まりを解消させるための操作手順をユーザーが行う必要が生じて、用紙搬送動作の再開が更に遅延することになる。
【０００９】
本発明は、上記の事情に鑑みなされたものであり、用紙詰まりが発生しているか否かを確認すべき用紙搬送路内の位置が残っているのにも関わらず、用紙搬送動作を再開させないようにすることを目的とする。
【課題を解決するための手段】
【００１０】
本発明の一局面にかかる用紙搬送装置は、搬送路と、本用紙搬送装置の外郭を構成し、その内部に前記搬送路を収容する筐体であって、開閉自在なカバーが設けられ、当該カバーが開かれた状態において、前記搬送路の一部を露出する筐体と、前記カバーの開閉状態を検出する第１検出部と、前記搬送路内で用紙を搬送する搬送部と、前記搬送部による用紙搬送動作を制御する制御部と、前記搬送路内の予め定められた複数の位置における用紙の有無を検出する第２検出部と、前記第２検出部による用紙の有無の検出結果に基づいて、前記搬送路内で用紙詰まりが発生したか否かを検出するとともに、用紙詰まりが発生した場合には当該用紙詰まりが発生した前記搬送路内における位置を特定する第３検出部と、表示部と、前記表示部が表示する画面に対するユーザー操作を受け付ける受付部と、を備え、前記第３検出部は、（ｉ）用紙詰まりが発生したことを検出した場合に、当該用紙詰まりを解消するために必要となる操作手順をウィザード形式で順次示すための複数ページからなるウィザード画面を前記表示部に表示させ、（ｉｉ）前記受付部が受け付けたページの遷移指示に応じて、前記表示部が表示する前記ウィザード画面のページを切り替えさせ、（ｉｉｉ）前記表示部が前記ウィザード画面を表示した後に、前記第１検出部が前記カバーが開かれたことを検出し、かつ、その後に前記第１検出部が前記カバーが閉じられたことを検出した場合に、その時点で前記表示部が表示しているウィザード画面のページよりも後のページがあるか否かを判定し、（ｉｉｉ−ｉ）当該後のページがない場合には、前記表示部に前記ウィザード画面の表示を停止させ、前記制御部に前記搬送部による用紙搬送動作を再開させ、（ｉｉｉ−ｉｉ）当該後のページがある場合には、前記表示部に前記ウィザード画面の表示をそのままにさせ、前記制御部に前記搬送部による用紙搬送動作を停止させたままにする、用紙搬送装置である。
【００１１】
また、本発明の別の一局面にかかる画像形成装置は、用紙上に画像を形成する画像形成部と、上記の用紙搬送装置であって、前記画像形成部へ用紙を搬送するとともに、前記画像形成部により画像が形成された画像形成済みの用紙を本画像形成装置の用紙排出口へ搬送する用紙搬送装置と、を備える、画像形成装置である。
【発明の効果】
【００１２】
上記の本発明によれば、用紙詰まりが発生しているか否かを確認すべき用紙搬送路内の位置が残っているのにも関わらず、用紙搬送動作を再開させないようにすることができる。
【図面の簡単な説明】
【００１３】
【図１】本発明の一実施形態にかかる画像形成装置の外観を示す斜視図である。
【図２】本発明の一実施形態にかかる画像形成装置の内部構成を示すブロック図である。
【図３】本発明の一実施形態にかかる画像形成装置の動作の流れを示すフローチャートである。
【図４】（Ａ）は、本発明の一実施形態にかかる画像形成装置の表示部が表示するウィザード画面の１ページ目を示す図であり、（Ｂ）は、ウィザード画面の１ページ目を示す図である。
【図５】（Ａ）は、本発明の一実施形態にかかる画像形成装置の表示部が表示するウィザード画面の３ページ目を示す図であり、（Ｂ）は、ウィザード画面の４ページ目を示す図である。
【図６】本発明の一実施形態にかかる画像形成装置の表示部が表示するウィザード画面の５ページ目を示す図である。
【図７】本発明の一実施形態にかかる画像形成装置の表示部が表示するウィザード画面に付加される情報の一例を示す図である。
【図８】本発明の変形例にかかる画像形成装置の動作の流れを示すフローチャートである。
【発明を実施するための形態】
【００１４】
以下、本発明の一実施形態にかかる用紙搬送装置を備える画像形成装置について図面を参照して説明する。図１は、画像形成装置の外観を示す斜視図である。図２は、画像形成装置の内部構成を示すブロック図である。
【００１５】
画像形成装置１は、ファクシミリ通信機能、コピー機能、プリンター機能、およびスキャナー機能などの複数の機能を兼ね備えた複合機である。図１に示すように、画像形成装置１は、装置本体２と、装置本体２の上方に配置された画像読取部１０と、画像読取部１０と装置本体２との間に設けられた連結部３とから概略構成される。
【００１６】
画像読取部１０は、原稿搬送部１１と、原稿搬送部１１により搬送されてくる原稿または不図示のコンタクトガラスに載置された原稿を光学的に読み取るスキャナーとを有するＡＤＦ（Auto Document Feeder）である。画像読取部１０は、原稿を１枚ずつ読み取ることで画像形成対象となる画像データを取得する。
【００１７】
装置本体２は、画像形成装置１および用紙搬送装置の外郭を構成する筐体である。当該装置本体２の内部には、画像形成部２０、給紙部３０、画像メモリー４０、記憶部５０、通信部６０、および用紙搬送部９０などが収容されている。
【００１８】
画像メモリー４０は、画像読取部１０によって読み取られた画像データを一時的に記憶する領域である。
【００１９】
画像形成部２０は、画像メモリー４０に記憶されている画像データを読み出し、当該データを用いて給紙部３０から供給される用紙に画像を形成（印刷）する。印刷済みの用紙は、排出トレイ４に排出される。
【００２０】
記憶部５０は、ＨＤＤ（Hard Disk Drive）などの大容量の記憶装置である。
【００２１】
通信部６０は、不図示のＬＡＮチップなどの通信モジュールを備える通信インターフェイスである。画像形成装置１は、ネットワークを介して他のＰＣ（Personal Computer）などと接続されており、通信部６０により接続されたＰＣなどとの間でデータの送受信を行う。
【００２２】
用紙搬送部９０は、装置本体２内に形成された不図示の用紙搬送路、当該用紙搬送路内に設けられた不図示の搬送ローラー、当該搬送ローラーを駆動する不図示のモーターおよびドライバーなどから構成される。
【００２３】
ここで、装置本体２には開閉自在なカバー５が設けられている。ユーザーによりカバー５が開かれた状態において、上記の用紙搬送路の一部が露出する。
【００２４】
開閉検出センサー９２は、例えば赤外線などを用いた光センサーであって、カバー５が開いた状態でｈｉｇｈ信号を出力し、カバー５が閉じた状態でｌｏｗ信号を出力する。
【００２５】
用紙検出センサー９１（第２検出部）は、例えば赤外線などを用いた光センサーであって、用紙搬送路内の予め定められた複数の位置に設けられる。用紙検出センサー９１は、上記の複数の位置に用紙が有る場合にｈｉｇｈ信号を出力し、上記の複数の位置に用紙がない場合にｌｏｗ信号を出力する。
【００２６】
装置本体２の前面側には、表示部７０および操作部８０が配置されている。表示部７０は、液晶ディスプレイ（ＬＣＤ：Liquid Crystal Display）や有機ＥＬ（ＯＬＥＤ：Organic Light-Emitting Diode）ディスプレイを含んで構成される。
【００２７】
操作部８０は、例えば、印刷ジョブなどの実行を指示するためのスタートキー、表示部７０に表示された画面を構成するＧＵＩ（Graphical User Interface）に対して確定操作を行う決定キー（エンターキー）、数値入力を行うための数値入力キーなどを備え、表示部７０に表示される画面に対する操作がユーザーから入力される。
【００２８】
画像形成装置１は、更に、制御ユニット１００を備えている。制御ユニット１００は、ＣＰＵ（Central Processing Unit）やＤＳＰ（Digital Signal Processor）などのプロセッサ、およびＲＡＭ（Random Access Memory）やＲＯＭ（Read Only Memory）などのメモリーを含んで構成される。制御ユニット１００は、上記のメモリーまたは記憶部５０などに記憶された制御プログラムが上記のプロセッサに実行されることにより、動作制御部１０１、開閉検出部１０２、用紙詰まり検出部１０３、および受付部１０４として機能する。なお、制御ユニット１００の上記の各構成は、前述の制御プログラムに基づく動作によらず、それぞれハード回路により構成されてもよい。
【００２９】
動作制御部１０１は、画像形成装置１の全体的な動作制御を司る。動作制御部１０１は、画像読取部１０、画像形成部２０、給紙部３０、画像メモリー４０、記憶部５０、通信部６０、表示部７０、操作部８０、および用紙搬送部９０などと接続されており、接続されている上記各機構の動作制御や、各機構との間での信号又はデータの送受信を行う。特に動作制御部１０１は、画像形成動作や用紙搬送動作を制御する機能を有する。
【００３０】
開閉検出部１０２（第１検出部）は、開閉検出センサー９２から出力される信号に基づいて、カバー５の開閉状態を検出する機能を有する。
【００３１】
用紙詰まり検出部１０３（第３検出部）は、用紙検出センサー９１による用紙の有無の検出結果に基づいて、用紙搬送路内で用紙詰まりが発生したか否かを検出する機能を有する。具体的には、用紙詰まり検出部１０３は、用紙検出センサー９１により用紙搬送路内の予め定められた位置で用紙が予め定められた時間以上連続して検出されていること、および、用紙搬送路内の予め定められた位置に用紙が到達していないことに基づいて、用紙搬送路内で用紙詰まりが発生したことを検出する。なお、用紙詰まり検出部１０３は、用紙詰まりが発生した場合には、当該用紙詰まりが発生した用紙搬送路内における位置を特定する。
【００３２】
受付部１０４は、表示部７０に表示される画面に対するユーザー操作を解釈して、当該ユーザー操作に基づく指示を受け付ける機能を有する。
【００３３】
図３は、上記の構成を備える画像形成装置１の具体的な動作の流れを示すフローチャートである。
【００３４】
用紙詰まり検出部１０３により用紙詰まりが検出された場合（ステップＳ１０においてＹＥＳ）、動作制御部１０１は、用紙搬送部９０による用紙搬送動作および画像形成部２０による画像形成動作を停止させる（ステップＳ１１）。
【００３５】
ステップＳ１１の処理後、用紙詰まり検出部１０３は、用紙詰まりを解消するために必要となる操作手順をウィザード形式で順次示すための複数ページからなるウィザード画面を生成し（ステップＳ１２）、生成したウィザード画面を表示部７０に表示させる（ステップＳ１３）。
【００３６】
ここで、用紙検出センサー９１により用紙搬送路内の予め定められた位置で用紙が予め定められた時間以上連続して検出されている場合は、用紙検出センサー９１が設けられた位置が用紙詰まりが発生した位置となる。従って、この場合は、用紙詰まりを解消するために当該位置をユーザーに確認させればよい。一方、用紙搬送路内の予め定められた位置に用紙が到達していない場合は、用紙検出センサー９１の間の位置で用紙詰まりが発生したと考えられる。従って、この場合は、用紙詰まりを解消するためにユーザーが確認すべき位置が複数となる場合がある。
【００３７】
用紙詰まり検出部１０３は、用紙検出センサー９１から出力された信号に基づき、上記の用紙詰まりを解消するためにユーザーが確認すべき位置（用紙詰まりが発生した可能性がある位置）を特定し、当該位置を報知するページを含むウィザード画面を生成する。図４（Ａ）〜図６は、ウィザード画面の一例を示す図である。これらの図に示す例では、ウィザード画面はＤ１〜Ｄ５の５ページから構成されている。
【００３８】
図３に戻って、受付部１０４がウィザード画面のページの遷移指示を受け付けた場合（ステップＳ１４においてＹＥＳ）、用紙詰まり検出部１０３は、表示部７０が表示するウィザード画面のページを次のページに切り替えさせる（ステップＳ１５）。図４（Ａ）〜図６に示す例では、受付部１０４は、ウィザード画面のページＤ１〜Ｄ５に設けられたボタンｄ１の押下操作をウィザード画面のページの遷移指示として受け付ける。
【００３９】
図４（Ａ）に示すように、ウィザード画面の第１ページＤ１には、用紙詰まりを解消するための第１番目の操作手順として、装置本体２のカバー５を開ける操作手順が示されている。この操作手順によりカバー５が開かれた場合、その後、開閉検出部１０２は、カバー５が開かれた状態から閉じられた状態へ遷移したか否か、すなわちカバー５の閉じ動作が行われたか否かを監視してする（ステップＳ１６）。
【００４０】
ここで一般的な装置では、カバーの閉じ動作が行われたことをトリガーとして、用紙詰まりを解消するための一連の操作手順が完了したものと判断して、用紙搬送動作や画像形成動作を再開させている。
【００４１】
しかしながら、用紙詰まりが発生しているか否かを確認すべき用紙搬送路内の位置が複数ある場合において、ユーザーが複数ページからなる画面の一部のページのみを見て、確認すべき一部の位置のみを確認した後に、装置のカバーを閉じてしまう場合がある。この場合、用紙詰まりが発生しているか否かを確認すべき用紙搬送路内の位置が残っているのにも関わらず、用紙搬送動作が再開されることになる。そして、ユーザーが未確認の位置に用紙が詰まっており用紙が取り除かれていない場合には、用紙詰まりが再度検出されて用紙搬送動作が停止されることになる。
【００４２】
このように、用紙搬送動作が再開されたのにもかかわらず、その直後に再度用紙搬送動作が停止され、再度用紙詰まりを解消させるための操作手順をユーザーが行う必要が生じて、用紙搬送動作の再開が更に遅延することになる。
【００４３】
上記の事態を回避するために、本発明の一実施形態にかかる画像形成装置１では、カバー５の閉じ動作が行われただけでは、用紙詰まりを解消するための一連の操作手順が完了したものと判断せずに、ステップＳ１７以降の処理を行っている。
【００４４】
用紙詰まり検出部１０３は、表示部７０がウィザード画面を表示した後に、開閉検出部１０２がカバー５が開かれたことを検出し、かつ、その後に開閉検出部１０２がカバー５が閉じられたことを検出した場合に（ステップＳ１６においてＹＥＳ）、その時点で表示部７０が表示しているウィザード画面のページよりも後のページがあるか否かを判定する（ステップＳ１７）。
【００４５】
後のページがない場合（ステップＳ１７においてＮＯ）、用紙詰まり検出部１０３は、用紙詰まりを解消させるための一連の操作手順が完了したと判断して、表示部７０にウィザード画面の表示を停止させるとともに（ステップＳ２０）、動作制御部１０１に用紙搬送部９０による用紙搬送動作を再開させ、動作制御部１０１に画像形成部２０による画像形成動作を再開させる（ステップＳ２１）。図４（Ａ）〜図６に示す例では、表示部７０にウィザード画面の第５ページＤ５が表示された状態でカバー５が閉じられた場合に、用紙詰まり検出部１０３がステップＳ２０およびステップＳ２１の処理を行う。
【００４６】
一方、後のページがある場合（ステップＳ１７においてＹＥＳ）、用紙詰まり検出部１０３は、用紙詰まりの可能性がある位置がユーザーにより確認されていないおそれがあり、用紙詰まりを解消させるための一連の操作手順が完了していないと判断する。この場合、用紙詰まり検出部１０３は、表示部７０にウィザード画面の表示をそのままにさせ（ステップＳ１８）、動作制御部１０１に用紙搬送部９０による用紙搬送動作を停止させたままにし、画像形成部２０による画像形成動作を停止させたままにする。
【００４７】
そして、用紙詰まり検出部１０３は、表示部７０が表示しているウィザード画面のページに、ユーザーが用紙が詰まっているか否かを確認すべき用紙搬送路内の位置が残っている旨を示す情報を付加し、当該情報を付加したページを表示部７０に表示させる（ステップＳ１９）。これにより、ユーザーに用紙詰まりを解消するための一連の操作手順が完了していないことを報知することができる。
【００４８】
図４（Ａ）〜図６に示す例では、ユーザーがウィザード画面の第２ページＤ２を見て、搬送ローラー（Ａ１）の位置を確認することで用紙詰まりを解消するための一連の操作手順が完了したと思い込み、表示部７０にウィザード画面の第２ページＤ２が表示された状態でカバー５が閉じられた場合が考えられる。この場合、後のページとして第３ページＤ３や第４ページＤ４があるため、用紙詰まり検出部１０３は、ステップＳ１８およびステップＳ１９の処理を行う。ステップＳ１９の処理の結果、表示部７０には例えば図７に示すような情報が表示される。
【００４９】
以上のように、画像形成装置１によれば、用紙詰まりが発生しているか否かを確認すべき用紙搬送路内の位置が残っているのにも関わらず、用紙搬送動作を再開させないようにすることができる。
【００５０】
なお、本発明は、上記の実施の形態の構成に限られず種々の変形が可能である。
【００５１】
図８は、変形例にかかる画像形成装置の動作の流れを示すフローチャートである。なお、図３に示す処理と同様の処理については、同符号を付して説明を省略する。
【００５２】
変形例にかかる画像形成装置では、カバー５が閉じられた時点で表示部７０が表示しているウィザード画面のページよりも後のページがあることだけに基づいて、用紙詰まりの可能性がある位置がユーザーにより確認されていないおそれがあり、用紙詰まりを解消させるための一連の操作手順が完了していないと判断するのではなく、更にステップＳ３０の処理を行う。
【００５３】
ステップＳ３０の処理では、用紙詰まり検出部１０３は、カバー５が閉じられた時点で表示部７０が表示しているウィザード画面のページよりも後のページがある場合において、更に、当該後のページのなかに、ユーザーが用紙が詰まっているか否かを確認すべき用紙搬送路内の位置を示したページが含まれるか否かを判定する。
【００５４】
ここで、用紙が詰まっているか否かを確認すべき用紙搬送路内の位置を示したページは、ウィザード画面が生成される際に用紙詰まり検出部１０３により予め設定されたページである。図４（Ａ）〜図６に示す例では、第２ページＤ２および第４ページＤ４が上記のページに該当する。
【００５５】
後のページのなかに、ユーザーが用紙が詰まっているか否かを確認すべき用紙搬送路内の位置を示したページが含まれない場合（ステップＳ３０においてＮＯ）、用紙詰まり検出部１０３は、用紙詰まりを解消させるための一連の操作手順が完了したと判断して、ステップＳ２０およびステップＳ２１の処理を行う。
【００５６】
一方、後のページのなかに、ユーザーが用紙が詰まっているか否かを確認すべき用紙搬送路内の位置を示したページが含まれる場合（ステップＳ３０においてＹＥＳ）、用紙詰まり検出部１０３は、用紙詰まりの可能性がある位置がユーザーにより確認されていないおそれがあり、用紙詰まりを解消させるための一連の操作手順が完了していないと判断して、ステップＳ１８およびステップＳ１９の処理を行う。
【００５７】
図４（Ａ）〜図６に示す例の第５ページＤ５に示された操作手順は、用紙詰まりを解消させるためには直接関係ない操作手順である。ユーザーによりウィザード画面の最後のページまで見られていないが、見られていないページがこのような用紙詰まりを解消させるためには直接関係ない操作手順を示したページのみである場合には、動作制御部１０１に用紙搬送部９０による用紙搬送動作を再開させ、動作制御部１０１に画像形成部２０による画像形成動作を再開させても問題ない。このため、変形例にかかる画像形成装置では、上記のような処理を行うことで、用紙搬送動作や画像形成動作を再開させるまでにかかる時間を短縮させている。
【００５８】
また、上記の実施の形態では、用紙搬送装置を備える装置の一例として画像形成装置を示したが本発明は必ずしもこの場合に限定されない。本発明の用紙搬送装置は、画像形成装置の他に、画像読取装置や後処理装置などの用紙を搬送する必要がある装置であれば適用することができる。
【符号の説明】
【００５９】
１      画像形成装置
２      装置本体
５      カバー
１０    画像読取部
２０    画像形成部
３０    給紙部
４０    画像メモリー
５０    記憶部
６０    通信部
７０    表示部
８０    操作部
９０    用紙搬送部
９１    用紙検出センサー
９２    開閉検出センサー
１００  制御ユニット
１０１  動作制御部
１０２  開閉検出部
１０３  用紙詰まり検出部
１０４  受付部
【図１】
2017208689.tif 000003
【図２】
2017208689.tif 000004
【図３】
2017208689.tif 000005
【図４】
2017208689.tif 000006
【図５】
2017208689.tif 000007
【図６】
2017208689.tif 000008
【図７】
2017208689.tif 000009
【図８】
2017208689.tif 000010